(57)【要約】【課題】  本体の大型化とコストアップを避けて、部屋の空気の流れを良好にして部屋全体を万遍なく浄化できる空気清浄機を提供することである。【解決手段】  シロッコファン８を具える送風機６のファンケーシング１６を、送風機の軸方向に前後に分ける区画板３ａを設け、前側のファンケーシング１６ａには、左右２箇所に吐出口１７、１７を設けて浄化した空気を本体ケース１の左右両側面より放出すると共に、後側のファンケーシング１６ｂには、上方に吐出口２０を設けて浄化した空気を本体ケース１の上面より放出する。      【効果】  １つの送風機で３方向から浄化した空気を放出でき、安価で本体も大型化になることなく、部屋の空気の流れを良好にして部屋全体を万遍なく効率的に浄化できる。【選択図】    図１
2008029904.tif 000002
【特許請求の範囲】
【請求項１】
シロッコファンを具える送風機を駆動させて、吸気口より本体ケース内へ吸引した外気をフィルタへ通して浄化し、浄化した空気を送風機のファンケーシング内へ吸引して、ファンケーシングに設けた吐出口を介して本体ケース外へ放出する空気清浄機において、送風機のファンケーシングを送風機の軸方向に前後に仕切る区画板を設け、該区画板で仕切られた前後のファンケーシングのいずれか一方には、左右２箇所に吐出口を設けて浄化した空気を本体ケースの左右両側面より放出すると共に、他方のファンケーシングには、上方に吐出口を設けて浄化した空気を本体ケースの上面より放出することを特徴とする空気清浄機。
【請求項２】
前記左右２箇所に吐出口が形成されたファンケーシングは、区画板より前方のファンケーシングとし、上方に吐出口が形成されたファンケーシングは、区画板より後方のファンケーシングとしてなる請求項１に記載の空気清浄機。  
【発明の詳細な説明】
【技術分野】
【０００１】
本発明は、本体ケースに設けた吸気口より吸引した外気をフィルタへ通して浄化した後、吐出口より放出する空気清浄機に関する。
【背景技術】
【０００２】
空気清浄機は、本体ケースの内部に送風機とフィルタを配設し、送風機の駆動により本体ケースに設けた吸気口より外気を吸引してフィルタへ通し、外気中に含まれる塵埃を除去したり臭い成分を脱臭して浄化し、浄化した外気を吐出口より放出するものであるが、吐出口は一般に本体ケースの上面に設けられ、空気清浄機の上面より浄化した空気を放出するのが一般的である。このような構成であると、一方向のみからしか浄化した空気が放出されないので、部屋の空気が効率よく循環されにくく、部屋の空気を万遍なく浄化するには時間がかかる。
【０００３】
そこで、浄化した空気を空気清浄機の上面と左右両側面から放出するようにして、部屋の隅々までの空気の流れを良好にし、部屋全体を万遍なく浄化できるようにした空気清浄機が知られている。(例えば、特許文献１参照)。
【特許文献１】特開２００６−１３６８０８号公報
【発明の開示】
【発明が解決しようとする課題】
【０００４】
この特許文献1に記載の空気清浄機は、浄化した空気を上方から放出するための上側の送風機と、左右方向から放出するための下側の送風機の２つの送風機が必要であり、コストアップになると共に、上下に送風機を配置させているため本体の高さが高く大型化になるという問題があった。
【０００５】
本発明の目的は、本体の大型化とコストアップを避けて、浄化した空気を左右と上方の３方向から放出させることにより、部屋の空気の流れを良好にして部屋全体を万遍なく浄化できるようにした空気清浄機を提供することである。
【課題を解決するための手段】
【０００６】
上記課題を解決するために本発明は、シロッコファンを具える送風機を駆動させて、吸気口より本体ケース内へ吸引した外気をフィルタへ通して浄化し、浄化した空気を送風機のファンケーシング内へ吸引して、ファンケーシングに設けた吐出口を介して本体ケース外へ放出する空気清浄機で、送風機のファンケーシングを送風機の軸方向に前後に仕切る区画板を設け、区画板で仕切られた前後のファンケーシングのいずれか一方には、左右２箇所に吐出口を設けて浄化した空気を本体ケースの左右両側面より放出すると共に、他方のファンケーシングには、上方に吐出口を設けて浄化した空気を本体ケースの上面より放出するものである。
【０００７】
具体的には、区画板より前方のファンケーシングに、左右２箇所の吐出口を形成し、区画板より後方のファンケーシングに、上方の吐出口を形成する。
【発明の効果】
【０００８】
本発明によれば、１つの送風機のファンケーシングを前後に分けて、一方のファンケーシングより、浄化した空気を本体ケースの左右両方向から放出させ、他方のファンケーシングより、浄化した空気を本体ケースの上方から放出させているので、１つの送風機で３方向から浄化した空気を放出でき、安価で本体も大型化になることなく、部屋の空気の流れを良好にして部屋全体を万遍なく効率的に浄化できる。
【０００９】
そして、空気清浄機は部屋の壁際に置いて使われることが多いので、前側のファンケーシングより左右方向に浄化空気を放出させ、後側のファンケーシングより上方へ浄化空気を放出させれば、壁に沿って浄化空気を放出させることができ、部屋の空気がより循環し易くなって、より効率的に部屋の空気を浄化することができる。
【発明を実施するための最良の形態】
【００１０】
以下、本発明を、図１乃至図４に基づき説明する。図1は空気清浄機のほぼ中央の縦断面図、図２は図１のＡ−Ａ線に基づく断面図、図３は図１のＢ−Ｂ線に基づく断面図、図４は図１のＣ−Ｃ線に基づく断面図である。
【００１１】
空気清浄機の本体ケース１は、底面、後面、それに左右側面と上面の後部を形どるリアケース２と、左右側面と上面の前部を形どるリアカバー３と、前面を形どるフロントカバー４より外郭が形成される。本体ケース１内は、仕切板５により前後に区画される。仕切板５で区画された後方の空間には、送風機６が配設される。送風機６は、モータ７と、モータにより駆動されるシロッコファン８とから構成される。モータ７は、仕切板５に取り付けられる。仕切板５のモータ７の周囲には仕切板５の前後を連通させる多数の連通孔９が形成される。
【００１２】
仕切板５で区画された前方の空間には、フィルタ１０が配設されている。フィルタ１０は、目の粗いプレフィルタ１１と、細かい塵埃を捕獲するメインフィルタ１２と、臭い成分を吸着する活性炭粒子よりなる脱臭フィルタ１３とから構成され、風上側から、プレフィルタ１１、メインフィルタ１２、脱臭フィルタ１３の順に配置されている。
【００１３】
本体ケース１の左右側面の前部（リアカバー３）には、夫々吸気口１４、１４（図２参照）が設けられている。図２では吸気口１４、１４の高さは表れていないが、吸気口１４、１４の高さはフィルタ１０の高さとほぼ同じである。吸気口１４、１４には、格子状のルーバー１５が取り付けられている。吸気口１４、１４は、プレフィルタ１１とフロントカバー４の間の空間と連通し、つまりフィルタ１０の風上側と連通している。
【００１４】
仕切板５で区画された後方の空間には、送風機６が配設されると共に、シロッコファン８を囲むファンケーシング１６が形成されている。ファンケーシング１６は、前記リアカバー３より一体に形成された区画板３ａによって、シロッコファン８の軸方向に前後に区画されている。詳しくは図１、図２の如く、シロッコファン８の各翼を軸長方向に二分するようにファンケーシング１６を前後に区画している。
【００１５】
区画板３ａで区画されたファンケーシング１６の前側のファンケーシング１６ａは、区画板３ａより一体に突設された渦巻状のリブ３ｂ、３ｂと、仕切板５と区画板３ａにより形成され、図３に示すように、２つの吐出口１７、１７がその左右両端に設けられている。この左右の吐出口１７、１７は、リアケース２の左右側面に開口された放出口１８、１８に接続されている。各放出口１８には、格子状のエアガイド１９が装着されている。
【００１６】
区画板３ａで区画されたファンケーシング１６の後側のファンケーシング１６ｂは、リアケース２より一体に突設された渦巻状のリブ２ｂと、区画板３ａとリアケース２により形成され、図１や図４に示すように、１つの吐出口２０がその上端に設けられている。この上方の吐出口２０は、リアケース２の上面に開口された放出口２１に接続されている。放出口２１には、リアケース２と一体に形成された格子状のエアガイド２２が配備されている。
【００１７】
かかる構成において、送風機６を駆動すると、左右の前記吸気口１４、１４より外気が本体ケース１内に吸引され、吸引された外気は、図２の矢印Ｄのように、プレフィルタ１１、メインフィルタ１２、脱臭フィルタ１３を通って、塵埃や臭い成分が除去されて浄化され、浄化された空気は、連通孔９を通ってファンケーシング１６へ導かれる。
【００１８】
ファンケーシング１６は前後に区画されており、前側ファンケーシング１６ａへ導かれた浄化された空気は、図２、図３の矢印Ｅの如く、左右の吐出口１７、１７よりエアガイド１９、１９、放出口１８、１８を介して本体ケース１の左右両側面より機外へ放出される。一方後側ファンケーシング１６ｂへ導かれた浄化された空気は、図１、図４の矢印Ｆの如く、上方にある吐出口２０よりエアガイド２２、放出口２１を介して本体ケース１の上面より機外へ放出される。
【００１９】
このように浄化された空気は、本体ケースの左右両側面と上面の３方向から放出しているので、部屋の空気の淀みが少なくなって部屋の隅々まで空気が良好に流れるようになり、部屋全体を万遍なく浄化できる。そして１つの送風機６で、３方向から浄化した空気を放出でき、２つの送風機を用いた従来のものに比べ、安価で本体も大型化になることはない。
【００２０】
ここで、左右の吐出口１７、１７と上方の吐出口２０は、前後のファンケーシング１６ａ、１６ｂのどちらか１つに夫々設ければよいが、図示した実施例のように、前側のファンケーシング１６ａに左右の吐出口１７、１７を、後側のファンケーシング１６ｂに上方の吐出口２０を設ければ、部屋の壁際に置いて使われることの多い空気清浄機では、後側のファンケーシング１６ｂの吐出口２０より、壁に沿って浄化空気を放出させることができ、部屋の空気がより循環し易くなって、より効率的に部屋の空気を浄化することが可能で、有利である。
【００２１】
また以上の実施例では、外気を本体ケース１に取り入れる吸気口１４、１４を、本体ケース１の左右両側面に設けたが、左右両側面に設ける代わりに、フロントカバー４に設けてもよい。フロントカバー４に設けた方が、流路抵抗が少なく、より多くの空気を吸引することができる。そして空気清浄機の本体ケース１の前方から空気を吸い込み、左右と上面から浄化空気を放出するようにすれば、部屋の空気の流れがスムーズになってより効率的に循環し、部屋の隅々まで空気を浄化するのに有利である。
【図面の簡単な説明】
【００２２】
【図１】本発明の空気清浄機のほぼ中央の縦断面図である。
【図２】図１のＡ−Ａ線に基づく断面図である。
【図３】図１のＢ−Ｂ線に基づく断面図である。
【図４】図１のＣ−Ｃ線に基づく断面図である。
【符号の説明】
【００２３】
８      シロッコファン
６      送風機
１４    吸気口
１０    フィルタ
１６    ファンケーシング
３ａ    区画板
１６ａ  前側ファンケーシング
１６ｂ  後側ファンケーシング
１７    左右の吐出口
２０    上方の吐出口
【図１】
2008029904.tif 000003
【図２】
2008029904.tif 000004
【図３】
2008029904.tif 000005
【図４】
2008029904.tif 000006